(57)【特許請求の範囲】
【請求項１】
折り曲げてディスクケースを形成する方形のシート体において、上下辺と平行な線ａを介してシート体の下辺側に設けたディスク収納部形成領域と上辺側に形成した差し込み片形成領域とからなり、ディスク収納部形成領域にはその中心部に下辺側から連続してディスクの収納部を偶数個配置し、その両側にシート体の全長にわたって形成した左右辺と平行な線ｂ，ｂを介して折り返し部を設けたディスクケース形成用シート。
【請求項２】
ディスク収納部形成領域に、各ディスクの収納位置を区画するための線ｃを上下辺と平行に表示した請求項１に記載のディスクケース形成用シート。
【請求項３】
請求項１又は２に記載の線ｂ，ｂに沿って折り返し部をシート体の同一面側へ折り曲げてディスク収納部を形成し、ディスク収納部を重合させるように折り畳んでシート体の下辺を線ａの位置に臨ませたディスクケース。
【発明の詳細な説明】
【０００１】
【技術分野】
本発明は、折り曲げてディスクケースを形成する方形のシート体に関するもので、コンパクトディスク（ＣＤ）等の円盤状の記録媒体を簡便に包装できるようにしたものである。
【０００２】
【従来技術とその問題点】
ディスクケース形成用シートとしては、特開平11-59762号公報に開示されたものが知られている。
このケースは、ＣＤの直径と同程度の縦方向の長さを有する裏面部と、この裏面部に連なる封印部及びＣＤ装着部を有する三つ折りタイプのＣＤケースであり、縦折りラインにＣＤの上下周縁部が差し込まれる小口開口部を設け、ＣＤ装着部にはＣＤ側に折り曲げる係止部を設けた構成となっている。
【０００３】
このケースは、ＣＤを小口開口部及び係止部に係合させ、縦折りラインに沿って折り曲げるだけでＣＤを郵送用に包装できる利点があるものの、小口開口部を形成するための切り欠き加工や、係止部を形成するための切り割り加工を施こす必要があり、製造コストが高くなる不都合がある。
また、この包装状態では、封筒に装入して郵送するには都合が良いが、そのままでは包装状態を固定できないため、持ち運び用のケースとして使用できず、ＣＤケースとしての用途が限られてしまう不都合もある。
【０００４】
【技術的課題】
本発明は、折り曲げてディスクケース形成する方形のシート体において、折り曲げることによってディスクを確実に包装するディスクケースを形成できるようにすることを課題としたものである。
【０００５】
【技術的手段】
この技術的課題を解決するための技術的手段は、（イ）上下辺と平行な線ａを介してシート体の下辺側に設けたディスク収納部形成領域と上辺側に形成した差し込み片形成領域とからなり、（ロ）ディスク収納部形成領域にはその中心部に下辺側から連続してディスクの収納部を偶数個配置し、（ハ）その両側にシート体の全長にわたって左右辺と平行な形成した線ｂ，ｂを介して折り返し部を設けたこと、である。
【０００６】
このシート体には、上下辺と平行な線ａと左右辺と平行なｂが表示してあり、線ｂに沿って折り返し部をディスクの収納部側へ折り曲げると、シートのディスク収納面と折り返し部との間にディスク収納部が形成される。ディスク収納部形成領域にはその中心部に下辺側から連続してディスクの収納部が偶数個配置されているから、ディスク収納部同志を重合させると共にシート体の下辺が線ａの位置へ臨むように折り畳めることになる。
シート体の上辺側には差し込み片形成領域が配置されているから、シート体の差し込み片形成領域を、そのまま或いは適宜の形に折り曲げた状態で線ａに沿ってシート体の下辺側へ折り曲げると、その先端を下辺の端部側から収納されているディスクの外側へ差し込むことによって、ディスクを包装すると共にその包装状態を固定させることができる。
【０００７】
このシート体は、和紙や洋紙、薄肉ダンボール紙、これらに不織布を積層させたもの、合成樹脂フィルム等を好適に使用できる。これらは、線に沿って織目を容易に形成できるものである。シート体を紙で構成しておくと、静電気の発生が防止されるため、ディスクを傷めたり、ディスクにホコリが付着するのを防止することができる。
【０００８】
ディスク収納部形成領域には、ディスクの収納部を区画するための線ｃを上下辺と平行に設けることができる。ディスク収納部が二つの場合は二つ折りすれば良いから折り畳みを正確に行なえるが、収納部が多くなる場合には線ｃを設けておくと正確かつ綺麗に折り畳むことができる。
なお、線ａ，ｂ，ｃは折目の形成ができる程度に表示しておけば良く、例えば、印刷等によって連続的又は断続的に表示しておけば良い。
【０００９】
差し込み片は、差し込み片形成領域の両側の角部を重合している折り返し部と共に折り曲げて略台形状に形成すると、差し込み片を下辺のディスク収納部の内側へ円滑に挿入することができる。和紙や洋紙を使用する場合には、上辺側をさらに折り返して差し込み辺を二重構造にして強固にしておくと差し込み作業を円滑に行なうことができる。逆に、シート体の材質によって差し込み片を丈夫に形成できる場合には、差し込み片形成領域の両側の角部を裁断するように構成して作業性を高めるようにしても良い。
なお、差し込み片形成領域では、挿入し易い差し込み片の形態を得るために、予め折線や裁断線を設けておくことが望ましい。同様に、差し込み片が挿入される一方の下辺の端縁において、折り返し部の端縁を斜めに折り曲げたり裁断したりするための線を表示しておくことが望ましい。
【００１０】
【本発明の効果】
簡単に折り曲げてディスクを包装できるディスクケースを形成できる結果、必要の都度シートから簡便にディスクケースを形成でき、ケースをシートの状態でストックしておくことができる利点がある。
折り畳んで形成したケースに収納したディスクを確実に包装できるため、持ち運びが可能となり、郵便用封筒に入れても郵送できる利点もある。
また、プラスチック製のケースとはことなって、ディスクを出し入れする際に記録面がケースに接触して傷がつくようなこともない。
【００１１】
【実施の形態】
図１は、本発明に係るシート体１の平面図である。このシートは、直径約１２cmの大きさのＣＤを収納ケースを形成するためのものであり、Ａ４版の上質紙をそのまま用いている。
シート体１には折線ａが表示してあって、下辺８側をＣＤ収納部形成領域２、上辺９側を差し込み片形成領域３としている。
【００１２】
ＣＤ収納部形成領域２の中央部には、下辺側からＣＤの二つの収納部４、５を連続して配置してあり、その間に折線ｃを表示している。この収納部４、５の各辺は、ＣＤを収納して折り畳む関係上、ＣＤの直径よりやや大きい長さとしている。
収納部４、５の左右には、折線ｂを介して折り返し部４を配置している。この折線ｂは、差し込み辺形成領域３にまで到達していて、ケースを形成する際にシート体１の側縁全体を折り返し部として折り曲げるようにしている。
【００１３】
差し込み片形成領域３には、折線ａを基点として折線ｂの両側に約45度の角度で折線ｄを表示して、形成する差し込み片の角部を斜めに折り込めるようにしている。
折線ｅは、差し込み片の先端を二重に折り込む位置を表示する線であって、差し込み片の強度を増す場合に使用する。また、折線ｆは差し込み片が挿入される際に折り返し部６の端縁が邪魔にならないように、斜めに切除する部分を表示するための裁断線である。
なお、折線ｄ，ｅ，ｆの表示は任意である。
【００１４】
このシート体１を折り畳んで収納ケースを形成する場合には、折線の表示部を外側にして折り畳む方が、常時折り曲げ位置を確認できるため便利である。
なお、ボール紙や段ボール紙を使用した場合には、差し込み片形成領域３における折り返し部と下辺８側の折り返し部の端縁を切除しておくと、ケースがゴワ付くのを防止することができる。
【００１５】
また、図１に示したシート体１では、折り返し部を折り曲げてもＣＤの全体が覆われないから、折線ｃを折り畳まない状態では、ＣＤの一部が露出した状態となり、折り返し部を開かなくてもＣＤを確認することができる。
和紙や上質紙を使用する場合には、折り返し部の幅を大きくしてＣＤ上でオーバーラップさせると、このようなＣＤの確認ができなくなるが、折り返し部を外側にしてケースを折り畳むことが可能となり、ＣＤをより安全な状態で包装できる利点がある。
なお、ＣＤの収納部を増加連設させた場合には、つづら折りしてＣＤの収納部を重ね合わせれば良い。
【図面の簡単な説明】
【図１】ＣＤを収納するためのケースを形成するシート体の平面図
【符号の説明】
１シート体、  ２ＣＤ収納部形成領域、  ３差し込み片形成領域、  4、5 ＣＤ収納部、  ６折り返し部、  ８シート体の下辺、  ９シート体の上辺、  a,b,c,d,e 折線、  ｆ裁断線
【図１】
0003830394.tif 000002